(57)【要約】【課題】記録媒体に記録されているコンテンツに対して、そのコンテンツに適合するようなメニュー画面を作成するようにして、機器の付加価値を高める。【解決手段】情報記録装置は、入力される画像情報を記録単位毎に記録媒体の第一の領域に記録する第一の記録手段と、記録単位毎に記録されている画像情報を代表する代表データを生成する代表データ生成手段と、複数のシンボル画像を記録する第一のメモリと、第一のメモリに記録された複数のシンボル画像と、代表データとの関連性を示すリンク情報を生成するプログラムを記録する第二のメモリと、プログラムに基づいて、リンク情報を生成するリンク情報生成手段と、リンク情報に基づいて、少なくとも関連するシンボル画像と代表データとを含む画像情報を生成する画像生成手段と、画像生成手段により生成された画像情報を記録媒体の第二の領域に記録する第二の記録手段と、を有することである。【選択図】    図１
2004199774.tif 000002
【特許請求の範囲】
【請求項１】
入力される画像情報を記録単位毎に記録媒体の第一の領域に記録する第一の記録手段と、
前記記録単位毎に記録されている前記画像情報を代表する代表データを生成する代表データ生成手段と、
複数のシンボル画像を記録する第一のメモリと、
前記第一のメモリに記録された複数のシンボル画像と、前記代表データとの関連性を示すリンク情報を生成するプログラムを記録する第二のメモリと、
前記プログラムに基づいて、前記リンク情報を生成するリンク情報生成手段と、
前記リンク情報に基づいて、少なくとも関連する前記シンボル画像と前記代表データとを含む画像情報を生成する画像生成手段と、
前記画像生成手段により生成された画像情報を前記記録媒体の第二の領域に記録する第二の記録手段と、
を有することを特徴とする情報記録装置。
【請求項２】
前記プログラムは、前記第一の記録手段の記録時における設定情報に基づいて、リンク情報を生成するプログラムであることを特徴とする請求項１に記載の情報記録装置。
【請求項３】
前記プログラムは、前記記録媒体固有の識別コードに基づいて、リンク情報を生成するプログラムであることを特徴とする請求項１に記載の情報記録装置。
【請求項４】
請求項１に記載の情報記録装置において、
ネットワークを介して接続された外部機器とのインターフェースを有し、
前記シンボル画像は、前記外部機器から前記インターフェースを介して前記第一のメモリに記録されることを特徴とする情報記録装置。
【請求項５】
請求項１に記載の情報記録装置において、
ネットワークを介して接続された外部機器とのインターフェースを有し、
前記プログラムは、前記外部機器から前記インターフェースを介して前記第二のメモリに記録されることを特徴とする情報記録装置。
【請求項６】
入力される画像情報を記録単位毎に記録媒体の第一の領域に記録し、
前記記録単位毎に記録されている前記画像情報を代表する代表データを生成し、
複数のシンボル画像を記録する第一のメモリに記録された複数のシンボル画像と、前記代表データとの関連性を示すリンク情報を生成するプログラムを第二のメモリに記録し、
前記プログラムに基づいて、前記リンク情報を生成し、
前記リンク情報に基づいて、少なくとも関連する前記シンボル画像と前記代表データとを含む画像情報を生成し、
前記生成された画像情報を前記記録媒体の第二の領域に記録すること、
を特徴とする情報記録方法。
【請求項７】
前記プログラムは、記録媒体の第一の領域に記録時における設定情報に基づいて、リンク情報を生成するプログラムであることを特徴とする請求項６に記載の情報記録方法。
【請求項８】
前記プログラムは、前記記録媒体固有の識別コードに基づいて、リンク情報を生成するプログラムであることを特徴とする請求項６に記載の情報記録方法。
【請求項９】
前記シンボル画像は、外部機器からインターフェースを介して前記第一のメモリに記録されることを特徴とする請求項６に記載の情報記録方法。
【請求項１０】
前記プログラムは、外部機器からインターフェースを介して前記第二のメモリに記録されることを特徴とする請求項６に記載の情報記録方法。
【発明の詳細な説明】
【０００１】
【発明の属する技術分野】
本発明は、情報記録装置及び情報記録方法に関するものであり、詳しくは一つの記録媒体に異なるユーザーが画像信号を記録した際に、ファイナライズ時にユーザー毎のメニュー画面を簡単に作成することができる情報記録装置及び情報記録方法に関するものである。
【０００２】
【従来の技術】
従来技術において、メディアに記録されているコンテンツのメニューの形式は、予め設定された形式になっており、ユーザーが所望のメニューを選択すると階層的にメニューが表示され、適宜項目を選択することで所望の機能等の設定が行われる。
【０００３】
【特許文献１】
特開２００２−６３７６５号公報（第７頁  第１図）
【０００４】
【発明が解決しようとする課題】
しかしながら、従来技術で説明したメニュー形式において、そのメニュー表示の見せ方は固定されているため、ユーザーが個人の好みやコンテンツに応じてメニューの形式を変化させることができないという問題がある。
又、日付や時刻に応じてメニューページ毎に形式を変化させて時間の経過や季節感等を表現することができないという問題もある。
更に、記録媒体に記録されたコンテンツは、他の機器で再生可能なフォーマットで記録されるのであるが、他の機器で再生可能にする際、コンテンツのメニュー画面は、再生される機器に依存しており、ユーザーの好みに応じたメニュー画面を常に再生機器で表示することができないという問題もある。
【０００５】
従って、１つの記録媒体に複数のユーザーが記録したコンテンツが存在する場合に、その記録されているコンテンツ特有のメニューを簡単に作成できることに解決しなければならない課題を有する。
【０００６】
【課題を解決するための手段】
上記課題を達成するために、本発明に係る情報記録装置及び情報記録方法は、次に示す構成にすることである。
【０００７】
（１）情報記録装置は、入力される画像情報を記録単位毎に記録媒体の第一の領域に記録する第一の記録手段と、前記記録単位毎に記録されている前記画像情報を代表する代表データを生成する代表データ生成手段と、複数のシンボル画像を記録する第一のメモリと、前記第一のメモリに記録された複数のシンボル画像と、前記代表データとの関連性を示すリンク情報を生成するプログラムを記録する第二のメモリと、前記プログラムに基づいて、前記リンク情報を生成するリンク情報生成手段と、前記リンク情報に基づいて、少なくとも関連する前記シンボル画像と前記代表データとを含む画像情報を生成する画像生成手段と、前記画像生成手段により生成された画像情報を前記記録媒体の第二の領域に記録する第二の記録手段と、を有することである。
（２）又、前記プログラムは、前記第一の記録手段の記録時における設定情報に基づいて、リンク情報を生成するプログラムであることを特徴とする（１）に記載の情報記録装置。
（３）前記プログラムは、前記記録媒体固有の識別コードに基づいて、リンク情報を生成するプログラムであることを特徴とする（１）に記載の情報記録装置。
（４）（１）に記載の情報記録装置において、
ネットワークを介して接続された外部機器とのインターフェースを有し、
前記シンボル画像は、前記外部機器から前記インターフェースを介して前記第一のメモリに記録されることを特徴とする情報記録装置。
（５）（１）に記載の情報記録装置において、
ネットワークを介して接続された外部機器とのインターフェースを有し、
前記プログラムは、前記外部機器から前記インターフェースを介して前記第二のメモリに記録されることを特徴とする情報記録装置。
【０００８】
（６）入力される画像情報を記録単位毎に記録媒体の第一の領域に記録し、前記記録単位毎に記録されている前記画像情報を代表する代表データを生成し、複数のシンボル画像を記録する第一のメモリに記録された複数のシンボル画像と、前記代表データとの関連性を示すリンク情報を生成するプログラムを第二のメモリに記録し、前記プログラムに基づいて、前記リンク情報を生成し、前記リンク情報に基づいて、少なくとも関連する前記シンボル画像と前記代表データとを含む画像情報を生成し、前記生成された画像情報を前記記録媒体の第二の領域に記録すること、を特徴とする情報記録方法。
（７）前記プログラムは、記録媒体の第一の領域に記録時における設定情報に基づいて、リンク情報を生成するプログラムであることを特徴とする（６）に記載の情報記録方法。
（８）前記プログラムは、前記記録媒体固有の識別コードに基づいて、リンク情報を生成するプログラムであることを特徴とする（６）に記載の情報記録方法。
（９）前記シンボル画像は、外部機器からインターフェースを介して前記第一のメモリに記録されることを特徴とする（６）に記載の情報記録方法。
（１０）前記プログラムは、外部機器からインターフェースを介して前記第二のメモリに記録されることを特徴とする（６）に記載の情報記録方法。
【０００９】
このように、記録媒体に記録されているコンテンツに対して、ユーザーが所望のメニュー表示画面を作成できるようにしたことにより、多くのコンテンツが記録媒体に存在していても、所望のコンテンツの抽出や、コンテンツの区分けといったことが簡単に且つ容易に行うことができ、メニュー表示画面の選択の幅が拡がる。
更に、作成したメニュー画面をコンテンツ同様、他の機器でも再生可能なフォーマットで記録媒体に記録したことにより、再生機器に依存しないユーザーが所望のメニュー画面を再生させることが出来る。
【００１０】
【発明の実施の形態】
次に、本願発明に係る情報記録装置及び情報記録方法の実施形態について、図面を参照して説明する。
【００１１】
本願発明に係る第１実施形態の情報記録装置は、図１に示すように、入力される画像情報を記録単位毎に記録媒体１１の第一の領域１２に記録する第一の記録手段と、記録単位毎に画像情報を代表する代表データを生成する代表データ生成手段１３と、複数のシンボル画像を記録する第一のメモリ１４と、第一のメモリ１４に記録された複数のシンボル画像と代表データとの関連性を示すリンク情報を生成するプログラムを記録する第二のメモリ１５と、プログラムに基づいて、リンク情報を生成するリンク情報生成手段１６と、リンク情報に基づいて、少なくとも関連するシンボル画像と代表データとを含む画像情報を生成する画像生成手段１７と、この画像生成手段１７で生成された画像情報を記録媒体１１の第二の領域１８に記録する第二の記録手段と、からなる。
【００１２】
ここで、シンボル画像とは、壁紙、ボタン画像などの一般的に使用することができる画像である。
代表データとは、サムネイル画像だけではなく、その画像情報に関するデータ、つまり、タイトルなどのテキストデータ、ユーザーがその画像情報に付けたマークなどを含むものである。
【００１３】
プログラムは、第一の記録手段の記録時における設定情報に基づいて、リンク情報を生成するプログラムであり、又、記録媒体１１固有の識別コードに基づいて、リンク情報を生成するプログラムである。
設定情報とは、記録時のユーザー情報、記録日時情報、ＧＰＳ等の位置情報をいう。
【００１４】
このような構成からなる情報記録装置において、記録媒体１１に様々なコンテンツがファイル（実施例において、ファイル１、２、…、Ｎ）として存在しているとして、このファイル１、２、…、Ｎの代表データ、例えば、ファイル１であればサムネイル１、ファイル２であればサムネイル２、ファイル３であればサムネイル３、ファイルＮであればサムネイルＮを選択する。
同時に、第一のメモリ１４に記憶されているシンボル画像、例えば、壁紙画像１、壁紙画像２、ボタン画像１、ボタン画像２を選択する。
【００１５】
リンク情報生成手段１６は、これらの選択された代表データ、例えば、サムネイル１であれば、そのサムネイル１の背景にはシンボル画像、例えば、壁紙画像１を貼り付けるようにして合成する。このようにして合成された代表データ（実施例ではサムネイル１、２）とシンボル画像（実施例では壁紙画像１）が記録媒体１１の第二の領域１８に書き込んで保存される。
他のコンテンツも同様にして、代表データを選択し、シンボル画像を選択し、両者を合成して記録媒体１１の第二の領域１８に保存しておく。
ここで、シンボル画像は記憶されている画像を選択することもできるが、予め定まった画像を自動的に選択するようにしてもよく、又、コンテンツの種類に応じて自動的に選択できるようにしてもよい。例えば、スポーツを撮像したコンテンツからなるファイルであれば、スポーツを表わす画像（スポーツ版）にし、運動会を撮像したコンテンツからなるファイルであれば運動会を表わす画像（運動会版）にすればよいのである。
【００１６】
又、代表データの選択は、実際に記録されている画像データを読み出したサムネイルに限定されることなく、例えば、撮像した日付けや、その撮影したときの雰囲気等を表現する文字符号、図案等でよく、要は記録されているコンテンツを適切に表現するものであればよく、識別性があり、過去に再現したときでもメニュー画面をみただけで、コンテンツの内容が解るものであればよい。
【００１７】
このようにして、記録媒体１１に記録されている複数のコンテンツからなるファイルに対して、ファイルを識別するメニュー画面をコンテンツの内容に応じて作成することにより、記録媒体に記録されている複数のファイルに対する管理が極めて合理的且つ容易に行うことができ、複数のユーザーが記録媒体１１を共有する場合でも、各ユーザー毎の管理や、ジャンル毎の管理、或いは記録した日付けや時刻での管理ができるため、メニュー画面の作成手法は極めて有効的なものになる。
【００１８】
図２に示すものは、記録媒体１１Ａが単一で、ユーザーが複数、例えば、家族が使用する場合のメニュー画像の作成手法を示したものであり、単一の記録媒体１１Ａに異なるユーザーが画像信号を記録した際、ファイナライズ時にユーザー毎のメニュー画面であるユーザーメニューを作成するというものである。
【００１９】
これは、情報機器を数人でシェアし、一つの記憶媒体を数人で各々異なる情報を記録した場合、ユーザー毎にユーザーメニューを作成することは有効である。尚、記録媒体にファイルが多く存在する場合は、夫々のユーザーメニューは複数生成されるようにしてもよいことは勿論のことである。
又、一つのメニュー画面に最大何枚のサムネイル画像等の代表画像を載せるか、及び、どのシンボル画像を使用するかなどは、プログラムにより制御され、このプログラムはユーザーにより設定可能になっている。もちろん、メニュー１画面に表示するサムネイルの数が多い場合には、適宜表示されるサムネイルの解像度を低くし、サムネイルのサイズを小さくする処理もプログラムで制御される。
【００２０】
実施例において、記録媒体１１Ａに記録されているコンテンツからなるファイルは、ファイル１、ファイル４及びファイル５が父のもの、ファイル２が母のもの、ファイル３及びファイル６が子供のものであるとした場合に、父のユーザーメニュー２１は、ファイル１のサムネイル１、ファイル４のサムネイル４、ファイル５のサムネイル５を作成してユーザーメニューにする。この父のユーザーメニュー２１は複数用意されており、１枚目のユーザーメニュー２１が使用されている様子が示されている。
ここでサムネイル１、４、５は代表データであり、シンボル画像は次ページへの移動を促すボタン画像である。なお、記録媒体に保存する第二の領域（図１参照）は図示されていない。
【００２１】
母のユーザーメニュー２２は、ファイル２のサムネイル２を作成してユーザーメニューにする。ここではユーザーメニュー２２は１個であるが、適宜その個数を増加させることができることは勿論のことである。
【００２２】
子供のユーザーメニュー２３は、ファイル３のサムネイル３、ファイル６のサムネイル６を作成してユーザーメニューにする。ここではユーザーメニュー２３は１個であるが、適宜その個数を増加させることができることは勿論のことである。
【００２３】
ここで、家族の父、母、子供のユーザーメニュー２１、２２、２３を作成するようにしたが、これに限定されることなく、例えば、季節とか、山、海、外国、旅行といったジャンルに区分けしたメニューを作成してもよく、上述したように日付けや時刻で区分するようにしてもよいことは勿論のことである。
【００２４】
図３は、複数の記録媒体１１Ｂ、１１Ｃが存在し、それぞれの記録媒体１１Ｂ、１１Ｃに固有の識別番号（ＩＤ；Ｉｄｅｎｔｉｆｉｃａｔｉｏｎ）が付与されていて、記録媒体１１Ｂ、１１Ｃ毎にメニュー画面２４、２５を作成するというものである。
これは、固有のＩＤが付与された記録媒体１１Ｂ、１１Ｃが多く普及した場合に、記録したコンテンツを記録媒体１１Ｂ、１１Ｃ毎、例えば、ディスク毎に管理できるというメリットがある。
例えば、第１の記録媒体（ＩＤ１）１１Ｂのディスクにはスポーツのうち野球関連のファイルである野球１、野球２、野球３、野球４が記録されている場合に、ユーザーはこの第１の記録媒体１１Ｂのメニューには壁紙画像（シンボル画像、図１参照）を野球関連の画像（野球版）にすることで、野球のジャンルのメニュー画面２４を作成することができる。
第２の記録媒体（ＩＤ２）１１Ｃのディスクには、スポーツのうちサッカー関連のファイル、サッカー１、サッカー２、サッカー３が記録されている場合に、ユーザーはこの第２の記録媒体１１Ｃのメニューには壁紙画像（シンボル画像、図１参照）をサッカー関連の画像（サッカー版）にすることで、サッカーのジャンルのメニュー画面２５を作成することができる。
【００２５】
このようにして記録媒体１１Ｂ、１１Ｃを装着する機器本体においては、挿入された記録媒体１１Ｂ、１１Ｃの識別番号を記録するようにしてメニューの管理をする。又、初めて挿入された記録媒体には、基本的にデフォルト背景画像、ボタンなどでメニューを作成する。この作成手法は、図１を参照して説明した手法と同じあるため、その説明の詳細は省略するが、記録媒体固有の識別番号に応じて、記録媒体に記録されているファイルのサムネイルデータやタイトルを示すテキストデータである代表画像と機器本体に記録しているシンボル画像との関連性を示すリンク情報をプログラムに基づいて、記録媒体固有のメニュー画面が生成される。
【００２６】
この場合、即ち、機器本体に初めて記録媒体が挿入されたことは、ユーザーに通知し、メニュー作成プログラムの編集を促す設定をするようにしてもよい。
更に、この記録媒体１１Ｂ、１１Ｃの識別番号（ＩＤ）は、ユーザーが任意に付けた番号や符号であってもよいことは勿論のことである。
【００２７】
次に、本願発明に係る第２実施形態の情報記録装置について、図面を参照して説明する。
【００２８】
第２実施形態の情報記録装置は、上記説明した第１実施形態の情報記録装置に対して、サムネイル等の代表データと背景等のシンボル画像とを合成するプログラム、またはシンボル画像をネットワークを介して得るようにしたものであり、その構成は図４に示すように、入力される画像情報を記録単位毎に記録媒体１１の第一の領域１２に記録する第一の記録手段と、記録単位毎に画像情報を代表する代表データを生成する代表データ生成手段１３と、複数のシンボル画像を記録する第一のメモリ１４と、第一のメモリ１４に記録された複数のシンボル画像と代表データとの関連性を示すリンク情報を生成するプログラムを記録する第二のメモリ１５と、プログラムに基づいて、リンク情報を生成するリンク情報生成手段１６と、リンク情報に基づいて、少なくとも関連するシンボル画像と代表データとを含む画像情報を生成する画像生成手段１７と、この画像生成手段１７で生成された画像情報を記録媒体１１の第二の領域１８に記録する第二の記録手段と、ネットワーク２７を介して接続された外部機器２８とのインターフェース２６を有し、シンボル画像またはプログラムは、外部機器２８からインターフェース２６を介して第一のメモリ１４または第二のメモリ１５に記録するメモリ格納手段とを備えた構成になっている。
【００２９】
このような構成において、代表データの選択、シンボル画像の選択、そしてこれらを合成してメニュー画面にする手法は、上記第１実施形態で説明したことと同じであるため、その説明は省略する。ここでは、シンボル画像と、代表データ及びこのシンボル画像を合成するプログラムとを外部機器２８から納入できるようにしたことであり、それはインターフェース２６を介してネットワーク２７に接続して外部機器２８から入力することで実現できる。このようにすると、プログラムに不備があっても自動的にネットワーク２７を介して入力することができ、又、バージョンアップ等したシンボル画像やプログラムを簡単に入力することができるのである。
【００３０】
次に、本願発明に係る第３実施形態の情報記録方法を具現化できる情報記録装置について、図面を参照して説明する。
【００３１】
本願発明に係る第３実施形態の情報記録装置は、所謂、ビデオカメラにより具現化することができ、このビデオカメラ３１は、図５に示すように、風景等を撮影し、映像信号を生成する撮像部３２と、音声を入力するマイク部３３と、撮像部３２で得られた映像信号をエンコードするビデオエンコーダ３４と、マイク部３３で得られた音声信号をエンコードするオーディオエンコーダ３５と、ビデオエンコーダ３４及びオーディオエンコーダ３５からの信号を処理するシステムブロック３６と、ビデオデコーダ３７と、ビデオデコーダ３７からのビデオ信号を出力して表示するＬＣＤ３８と、ビデオデコーダ３７からのビデオ信号を出力してテレビなどの表示装置にデータを出力するラインアウト３９と、オーディオデコーダ４０と、オーディオデコーダ４０からのオーディオ信号を出力するスピーカ／イヤホン／ラインアウト４１と、ＡＴＡＰＩ方式で映像信号及び音声信号を記録するドライブブロック４２と、ドライブブロック４２に装着する記録媒体であるディスク４３と、システムブロック３６で制御されネットワーク４５と接続するネットワークＩ／Ｆ４４とから構成されている
尚、図示せずとも撮像部３２で生成された画像信号には撮影時の日時を表す時刻情報、及びシャッタスピード、解像度等ビデオカメラの撮影に関するカメラ設定情報が付加される。
【００３２】
システムブロック３６は、ビデオ／オーディオデータのマルチプレクサ／デマルチプレクサ及びモニター用の信号を制御し、ＡＴＡＰＩインターフェースを介してドライブブロック４２との通信を行い、記録媒体であるディスク４３への記録再生処理を管理する。又、システムブロック３６は、ネットワーク４５に接続され、後述するメニュー画面に表示するためのメニュー画面を作成するプログラム、メニュー画面を構成するシンボル画像を取得するときに使用される。
【００３３】
ドライブブロック４２は、ＡＴＡＰＩからのコマンドに従って、記録媒体であるディスク４３への書込み及び読出しを実行する。
【００３４】
ネットワークＩ／Ｆ４４は、ネットワーク４５との接続を制御するブロックで、具体的にはＵＳＢ（Ｕｎｉｖｅｒｓａｌ  Ｓｅｒｉａｌ  Ｂｕｓ）、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  １３９４；ＳＣＳＩ規格）に準拠した規格に基づく接続手法、ＬＡＮ（Ｌｏｃａｌ  Ａｒｅａ  Ｎｅｔｗｏｒｋ）などの有線ネットワークインターフェースや近距離無線（ブルートゥース（商標））、ＩＥＥＥ８０２．１１ｂ等の無線ネットワークインターフェース（無線ＬＡＮ）を網羅するものである。
【００３５】
さて、記録時の信号の流れとしては、撮像部３２で撮像された映像及びマイク部３３に入力された音声は、それぞれビデオエンコーダ３４及びオーディオエンコーダ３５で圧縮された後に、システムブロック３６で多重化（マルチプレックス）されＡＴＡＰＩ経由でディスク４２に記録される。同時にモニター用の映像信号がＬＣＤ等の表示画面であるラインアウト３９に出力され、音声信号がイヤホン出力とラインアウト４１に出力される。
【００３６】
再生時の信号の流れとしては、ドライブブロック４２によってディスク４３から読み出されたデータは、システムブロック３６で復号化（デマルチプレックス）された後に、ビデオデコーダ３７及びオーディオデコーダ４０に送られ、元の信号に伸張されて、表示画面のＬＣＤ３８とラインアウト３９及びスピーカとラインアウト４１に出力される。
【００３７】
さて、ディスク４３にデータを記録、またはディスク４３からデータを再生する際、データの論理フォーマットは、実施例においてはＤＶＤ−Ｖｉｄｅｏの規格に準拠しており、それは、図６に示すように、ディスク４３の内周（Ｌｅａｄ−ｉｎ）からファイルシステムであるＵＤＦ（Ｕｎｉｖｅｒｓａｌ  Ｄｉｓｃ  Ｆｏｒｍａｔ）領域とビデオデータ全体を管理しているＶＭＧ（Ｖｉｄｅｏ  Ｍａｎａｇｅｒ）領域と、最大９９のＶＴＳ（Ｖｉｄｅｏ  Ｔｉｔｌｅ  Ｓｅｔ）からなる。
又、それぞれのＶＴＳは、タイトルの情報が記録されているＶＴＳＩ（Ｖｉｄｅｏ  Ｔｉｔｌｅ  Ｓｅｔ  Ｉｎｆｏｒｍａｔｉｏｎ）とＭＰＥＧなどの実データであるＶＴＳＴＴ＿ＶＯＢ（Ｖｉｄｅｏ  Ｏｂｊｅｃｔ  Ｓｅｔ  ｆｏｒ  Ｔｉｔｌｅｓ  ｉｎ  ａ  ＶＴＳ）とＶＴＳＩのバックアップであるＶＴＳＩ＿ＢＵＰ（Ｂａｃｋｕｐ  ｏｆ  ＶＴＳＩ）から構成されている。
【００３８】
ＤＶＤ−ＲＷの書き込みフォーマットは２種類あり、ＩｎｃｒｅｍｅｎｔａｌＲｅｃｏｒｄｉｎｇ方式（以後、ＩＮＣ方式と称する）とＲｅｓｔｒｉｃｔｅｄ  Ｏｖｅｒ  Ｗｒｉｔｅ方式（以後、ＲＯＷ方式と称する）がある。
【００３９】
ＩＮＣ方式は、シーケンシャルな書き方で、一度書いたものは原則として上書きできないという特徴を有する。ＲＯＷ方式は、上書きが可能であるが、未記録領域への記録はＩＮＣ方式と同様にシーケンシャルな書き方のみという特徴を有する。
ＩＮＣ方式、ＲＯＷ方式の記録領域情報は、図示せぬ内周（Ｌｅａｄ−ｉｎ）の内側のＲｅｃｏｒｄｉｎｇ  Ｍａｎａｇｅｍｅｎｔ  Ａｒｅａ（以後、ＲＭＡと称する）で管理されている。
【００４０】
ＤＶＤ−Ｒメディアは、物理的に上書きできないため、書き込みフォーマットとしてＩＮＣ方式が使用されている。
【００４１】
図７はＩＮＣ方式の記録手順を示したものであり、ＩＮＣ方式の場合、一度に書き込むエリアは最大３つまでと定義されており、そのエリアをＲｚｏｎｅと呼ぶ。このＲｚｏｎｅの管理もＲＭＡで行われている。
以下、各ステップ毎の処理について説明する。
【００４２】
ＳＴＥＰ１）ＵＤＦとＶＭＧ用の領域（Ｒｚｏｎｅ１）とＶＴＳＩ用の領域（Ｒｚｏｎｅ２）を予約する。このＲｚｏｎｅ２の後ろの領域はＩｎｖｉｓｉｂｌｅ
Ｒｚｏｎｅで、データを有効に追記できる領域である。
【００４３】
ＳＴＥＰ２）実データＶＴＳＴＴ＿ＶＯＢＳの記録を終了する、即ち、記録開始してから記録をストップしたときに、直ちにＶＴＳＩの情報を生成し、その後ろにＶＴＳＩ＿ＢＵＰとして記録する。このＶＴＳＩ＿ＢＵＰはバックアップ管理に使用される。
【００４４】
ＳＴＥＰ３）Ｒｚｏｎｅ２にＶＴＳＩと記録済み実データ情報を一時的に管理する仮ＶＭＧＩ（Ｔｅｍｐｏｒａｒｙ  Ｖｉｄｅｏ  Ｍａｎａｇｅｒ  Ｉｎｆｏｒｍａｔｉｏｎ；ＴＭＰ＿ＶＭＧＩ）を記録する。この時点で第１タイトル（ＶＴＳ＃１）が完成する。
【００４５】
ＳＴＥＰ４）ＶＴＳ＃１の後ろに続くタイトルのＶＴＳＩ用の領域（Ｒｚｏｎｅ３）を予約する。
【００４６】
ＳＴＥＰ５）実データＶＴＳＴＴ＿ＶＯＢＳの記録を終了する、即ち、２回目の記録開始してから記録をストップしたときに、直ちにＶＴＳＩの情報を生成し、その後ろにＶＴＳＩ＿ＢＵＰとして記録する。
【００４７】
ＳＴＥＰ６）Ｒｚｏｎｅ３にＶＴＳＩとＴＭＰ＿ＶＭＧＩを記録する。この時点で第２のタイトル（ＶＴＳ＃２）が完成し、ＴＭＰ＿ＶＭＧＩにはＶＴＳ＃１とＶＴＳ＃２の情報が記録されている。
【００４８】
ＳＴＥＰ７〜ＳＴＥＰ  ｋ−１）同様の手順を繰り返すことによりＮ個のタイトル（ＶＴＳ＃１〜ＶＴＳ＃Ｎ）を記録する。
【００４９】
ＳＴＥＰ  ｋ）最後にＤＶＤ−Ｖｉｄｅｏフォーマットに合致させるため、ＴＭＰ＿ＶＭＧＩにある各タイトルの管理情報からＵＤＦ及びＶＭＧを作成し、Ｒｚｏｎｅ１に記録する。更に、リードイン（Ｌｅａｄ  ｉｎ）、リードアウト（Ｌｅａｄ  ｏｕｔ）を記録する。この処理をファイナライズと呼ぶ。
【００５０】
図８は、ＲＯＷ方式の記録手順を示したもので、ＲＯＷ方式の場合は、全体が一つのＲｚｏｎｅとして扱われる。
以下、各ステップの処理は以下の通りである。
【００５１】
ＳＴＥＰ１）ＵＤＦとＶＭＧ用の領域及びＶＴＳＩ用の領域を予約するため、固定データ等のＰａｄｄｉｎｇによって次に追記する場合のアドレスＮＷＡ（Ｎｅｘｔ  Ｗｒｉｔａｂｌｅ  Ａｄｄｒｅｓｓ）を進める。
【００５２】
ＳＴＥＰ２）実データＶＴＳＴＴ＿ＶＯＢＳの記録を終了すると直ちにＶＴＳＩの情報を生成し、その後ろにＶＴＳＩ＿ＢＵＰとして記録する。続けて、次タイトルのＶＴＳＩ領域をＰａｄｄｉｎｇすることによりアドレスＮＷＡを進める。
【００５３】
ＳＴＥＰ３）ＶＴＳＴＴ＿ＶＯＢＳの前にＶＴＳＩを記録する。更に、ＴＭＰ＿ＶＭＧＩをＵＤＦ用領域とＶＭＧ用領域の間に記録する。この時点で第１のタイトル（ＶＴＳ＃１）が完成する。
【００５４】
ＳＴＥＰ４）実データＶＴＳＴＴ＿ＶＯＢＳの記録を終了すると直ちにＶＴＳＩの情報を生成し、その後ろにＶＴＳＩ＿ＢＵＰとして記録する。続けて、次タイトルのＶＴＳＩ領域をＰａｄｄｉｎｇすることにより、アドレスＮＷＡを進める。
【００５５】
ＳＴＥＰ５）ＶＴＳＴＴ＿ＶＯＢＳの前にＶＴＳＩを記録する。更に、ＵＤＦ用領域とＶＭＧ用領域の間のＴＭＰ＿ＶＭＧＩを上書きする。この時点で第２のタイトル（ＶＴＳ＃２）が完成する。
【００５６】
ＳＴＥＰ６〜ＳＴＥＰ  ｋ−１）同様の手順を繰り返すことによりＮ個のタイトル（ＶＴＳ＃１〜ＶＴＳ＃Ｎ）を記録する。
【００５７】
ＳＴＥＰ  ｋ）最後にＤＶＤ−Ｖｉｄｅｏフォーマットに合致させるために、ＴＭＰ＿ＶＭＧＩにある各タイトルの管理情報からＵＤＦ及びＶＭＧを作成し、Ｐａｄｄｉｎｇで予約した領域に記録する。更に、リードイン（Ｌｅａｄ  ｉｎ）、リードアウト（Ｌｅａｄ  ｏｕｔ）を記録する。この処理をファイナライズと呼ぶ。
【００５８】
図９は、ファイナライズ時に記録されるメニュー情報のデータ構造を示したものであり、図１０は、メニュー情報によって実現されるメニュー画面の見え方を示したものである。
ディスク４２の内周のリードインと外周のリードアウトとの間にファイルシステム、データ領域が存在している。
データ領域は、ＶＭＧ、ＶＴＳ＃１、ＶＴＳ＃２、…、ＶＴＳ＃Ｎから構成されている。
このＶＭＧは、管理情報ＶＭＧＩとメニュー表示のための実データＶＭＧＭ＿ＶＯＢＳとから構成される。
管理情報ＶＭＧＩは、ページを送ったときに前ページ、次ページの移動情報を有するものであり、実データＶＭＧＭ＿ＶＯＢＳを構成する一つの画面に相当するセル（ＣｅＩＩ）毎に備えたリンク情報のＶＭＧＭ＿ＰＧＣＩ（Ｖｉｄｅｏ  Ｍａｎｇｅｒ  Ｍｅｎｕ  Ｐｒｏｇｒａｍ  Ｃｈａｉｎ  Ｉｎｆｏｒｍａｔｉｏｎ）を有する。
ＶＭＧＭ＿ＰＧＣＩ群は、メニュー・ページ間及びメニューから選択された場合の再生単位である各タイトルへのリンク情報を有する。このリンク情報はメニュー画面において表示されたタイトルを代表する代表画像がユーザーにより選択され、指示された場合に、対応するタイトルを再生する際に利用される。
【００５９】
実データのＶＭＧＭ＿ＶＯＢＳは、夫々がメニュー画面の各ページに対応した複数のセル（Ｃｅｌｌ）から構成される。
このセルには、メニュー画面の背景、タイトル文字、各ＶＴＳの画像から作成したサムネイル、前ページボタン、次ページボタンの画像がＭＰＥＧで記録される。
【００６０】
セル内には、ＰＣＩとＤＳＩからなるＮＶ＿ＰＣＫが存在し、ＰＣＩ内にはＨＬＩ（Ｈｉｇｈｌｉｇｈｔ  Ｉｎｆｏｒｍａｔｉｏｎ）が存在する。
ＨＬＩにはサムネイル位置、ボタン位置、ハイライト色、４方向ボタンが押された場合のハイライト移動等の情報が記録される。
これらのデータを適切に記録することにより様々なメニュー画面が実現できるのである。
【００６１】
図１０は、ＬＣＤ３８上に表示されたメニュー画面の一例を示したもので、操作キーのメニュー・キーによってメニュー画面を呼び出し、４方向キーでハイライトを移動する。４方向キー真中の決定キーによって、選択したタイトル（ＶＴＳ）の再生開始やページを切替えることができる。
実施例において、最初のページを読み出すと、６個のシーンのサムネイルからなるメニュー画面が表示され、そのうち４方向キーで左上の画面を選択すると、この左上の画面のサムネイルがハイライトになる。そして、決定キーを押せば、この選択されたハイライトのサムネイルの画面が大きく映し出され、対応するタイトルの再生を開始することができるのである。
次ページボタンを押せば、次のページの途中のページの６個のシーンのサムネイルからなるメニュー画面が表示され、操作キーでハイライトを移動し決定すれば、その決定されたハイライトのサムネイルに代表されたタイトルが再生される。
更に、次ページボタンを押し続ければ、最後のページの６個のシーンのサムネイルからなるメニュー画面が表示され、他のページと同様に画面を選択し対応するタイトルを再生することができる。
【００６２】
さて、上記示したデータ構造を有するフォーマットにおいて、ファイナライズ時に作成される前述のメニュー記録構造を後述するプログラムに基づいて変化させること、即ち、記憶されているプログラムを変更させることにより、ユーザーが個人の好みやコンテンツに応じてメニューの表示形式を自由に選択することを可能にするものである。
【００６３】
以下、図１１、図１２、図１３、図１４を使用して、プログラムの構造について説明する。
【００６４】
プログラムのデータ構造は、図１１に示すように、全ページ共通データと記録時刻条件付きデータ＃１、…＃ｍとから構成され、全ページ共通データはページ切換え時の見え方等を考慮して全ページで共通する情報からなる。
それは、実施例において、前ページボタン位置、次ページボタン位置、サムネイルサイズ、サムネイル数、サムネイル位置＃１、…、＃ｎ、ハイライト移動情報＃１、…、＃ｎ+２からなるデータで構成されている。
この図１１において、ページ当たりのサムネイル数をｎとした場合のデータを示している。ハイライト移動情報には４方向ボタン夫々が押されたときにハイライトが移動すべきボタン又はサムネイルの情報が記述される。
ハイライト移動情報は、前・次ページボタンについても記述するため、ｎ＋２個存在する。
各記録時刻条件付きデータは、図１２に示すように、記録時刻範囲とページ設定データから構成される。
記録時刻範囲は、図１３に示すように、年月日時分範囲指定又は曜日指定又はその両者からなり、タイトル（ＶＴＳ）の記録時刻がこの条件に合致した場合、続くページ設定データが有効となる。
【００６５】
又、タイトルの記録時刻が複数の記録時刻範囲に入る場合は先に記述されているものを有効とする。
ページ設定データは、全ページ共通データと共にファイナライズ時のメニュー情報作成において使用され、図１４に示すように、背景画像（含タイトル）、前ページボタン画像、次ページボタン画像、ハイライト選択色、ハイライト確定色、又は他のページ設定データへのポインターからなる。
【００６６】
ハイライト確定色は、実行キー押下時にキー入力を受付けたことを示すために使用される。
又、他のページ設定データとして同じものが存在する場合は、そのページ設定データへのポインターを置くことにより、データ量を削減することも可能な構造になっている。
【００６７】
以上のようなプログラムを通信や記録メディアを介して機器本体に記憶させ参照可能にすることにより、メニューの見せ方を様々に変化させること、即ち、記憶されているプログラムを書き換えることによりメニューの見せ方を様々に変化させることができる。又、複数のプログラムを記憶しユーザーに選択させることも可能である。
【００６８】
図１５は、プログラムの構成例を示したものであり、このデータに基づいてファイナライズすることにより、次のようなメニューが実現される。  尚、図中の「＊」は任意の値が合致するデータを示すものとする。
【００６９】
例えば、記録時刻条件付きデータ＃１によって、１月１日〜１月３日の間に記録されたタイトルがある場合、そのタイトル（ＶＴＳ）は「Ｈａｐｐｙ  ＮｅｗＹｅａｒ」版というメニューページから参照できる。また、「Ｈａｐｐｙ  Ｎｅｗ  Ｙｅａｒ」に関連した背景画像、ページボタン画像等のページ設定データが参照され、メニュー画面の生成時に使用される。
以下、同様であるが、記録時刻条件付きデータ＃２によって、６月２７日に記録されたタイトルがある場合、ページ設定データへのポインタは記録時刻条件付きデータ＃３にポイントされ、そのタイトルは「Ｈａｐｐｙ  Ｂｉｒｔｈｄａｙ」版というメニューページから参照できる。
記録時刻条件付きデータ＃３によって、９月１３日に記録されたタイトルがある場合、そのタイトルは、「Ｈａｐｐｙ  Ｂｉｒｔｈｄａｙ」版というメニューページから参照できる。
記録時刻条件付きデータ＃４によって、１２月２４日〜２５日に記録されたタイトルがある場合、そのタイトルは、「Ｍｅｒｒｙ  Ｃｈｒｉｓｔｍａｓ」版というメニューページから参照できる。
記録時刻条件付きデータ＃５によって、３月〜５月の日曜日又は土曜日に記録されたタイトルがある場合、そのタイトルは、「春の休日」版というメニューページから参照できる。
記録時刻条件付きデータ＃６によって、３月〜５月の日曜日、土曜日以外に記録されたタイトルがある場合、そのタイトルは、「春」版というメニューページから参照できる。
記録時刻条件付きデータ＃７によって、７月〜８月に記録されたタイトルがある場合、そのタイトルは「夏」版というメニューページから参照できる。
記録時刻条件付きデータ＃８によって、９月１３日以外で９月〜１１月の日曜日又は土曜日に記録されたタイトルがある場合、そのタイトルは、「秋の休日」版というメニューページから参照できる。
記録時刻条件付きデータ＃９によって、９月１３日以外で９月〜１１月の日曜日、土曜日以外に記録されたタイトルがある場合、そのタイトルは、「秋」版というメニューページから参照できる。
記録時刻条件付きデータ＃１０によって、１２月２４日、２５日以外で１２月〜２月の日曜日又は土曜日に記録されたタイトルがある場合、そのタイトルは、「冬の休日」版というメニューページから参照できる。
記録時刻条件付きデータ＃１１によって、１２月２４日、２５日以外で１２月〜２月の日曜日、土曜日以外に記録されたタイトルがある場合、そのタイトルは「冬」版というメニューページから参照できる。
記録時刻条件付きデータ＃１２によって、上記以外、この例では２７日以外の６月に記録されたタイトルがある場合、そのタイトルは、「その他」版というメニューページから参照できる。
【００７０】
このようにして、プログラムを保存しておくことで、個人の好みやコンテンツに応じてメニューの見せ方を書き換え等して自由に選択することができるようになる。さらに、コンテンツのメニュー表示を個人の好みで表示させることが可能となるため、記録媒体に記録されたコンテンツから所望のコンテンツを容易に発見することができ、再生することが可能となる。
ここでは、メニュー形式のデータについて、タイトルの記録時の時刻に応じてタイトルを分類した例で説明したが、タイトルを記録したユーザーに応じてタイトルを分類し、対応するページ設定データに基づいてメニュー画面の生成を行うものでもよい。さらに挿入されたディスク４２固有の識別情報に対応するページ設定データに基づいて、メニュー画面を生成するものでもよい。
又、図１５に示したメニューの表示形式は、プログラムを変更して自由に選択することが可能であり、例えば、「１月１日から１月３日」を「１月１日から１月５日」に変更したり、又は、「Ｈａｐｐｙ  Ｎｅｗ  Ｙｅａｒ」版で指し示す画像を別の画像に変更することも可能である。
【００７１】
次に、実際にプログラムに基づいてメニューページを作成することについて、図１６に示すフローチャートを参照して、以下説明する。
【００７２】
先ず、処理中のＶＴＳ番号を示す変数ｊ、処理中の記録時刻条件付きデータ番号を示す変数ｑ、処理中のメニューページにおける最初のＶＴＳ番号を示す変数ｐを夫々初期化する（ステップＳＴ１）。
【００７３】
次に、ＶＴＳ番号を示す変数ｊに１を加える（ステップＳＴ２）。
次に、ＶＴＳ番号を示す変数ｊがＶＴＳの数Ｎを超えていなければステップＳＴ４に進み、超えていればステップＳＴ１３に進む（ステップＳＴ３）。
【００７４】
カウントする変数ｋを０にする（ステップＳＴ４）。
変数ｋに１を加える（ステップＳＴ５）。
ＶＴＳ＃ｊの記録時刻が記録時刻条件付きデータ＃ｋの記録時刻範囲に合致すればステップＳＴ７に進み、合致しなければステップＳＴ５へ戻る（ステップＳＴ６）。
【００７５】
処理中の記録時刻条件付きデータ番号を示す変数ｑが初期化以降未設定であればステップＳＴ１２へ進み、設定済みであればステップＳＴ８へ進む（ステップＳＴ７）。
【００７６】
ＶＴＳ＃ｊの記録時刻に対応する記録時刻条件付きデータ＃ｋと前回の記録時刻条件付きデータ＃ｑが一致すればステップＳＴ９に進み、一致しなければステップＳＴ１０に進む（ステップＳＴ８）。
【００７７】
変数（ｊ−ｐ）が１ページに入るサムネイル数ｎ以下であればステップＳＴ２へ戻り、サムネイル数ｎ＋１であればステップＳＴ１０へ進む（ステップＳＴ９）。
【００７８】
次に、ＶＴＳ＃ｐ、…、＃ｊ−１を参照するメニューページを作成し、ステップＳＴ１１へ進む（ステップＳＴ１０）。
【００７９】
変数ｐに変数ｊを代入してステップＳＴ１２へ進む（ステップＳＴ１１）。
【００８０】
変数ｑに変数ｋを代入して、ステップＳＴ２に戻る（ステップＳＴ１２）。
【００８１】
ＶＴＳ＃ｐ、…、＃ｊ−１を参照するメニューページを作成し、処理が終了する（ステップＳＴ１３）。
【００８２】
以上、ファイナライズ時に、メニュー画面を生成するプログラムを参照してメニュー画面をメディアに記録するＤＶＤ−Ｖｉｄｅｏ規格に準拠した実施例について述べたが、本発明はメディアへのメニュー画面の記録を行わず、再生時にプログラムを参照し、メニュー画面を作成する場合にも同様に適用できる。
また、記録媒体として、ＤＶＤ等の光ディスクだけでなく、磁気記録媒体、半導体記録媒体等の記録媒体にも同様に適応できる。
【００８３】
【発明の効果】
上記説明したように、本発明に係る情報記録装置及び情報記録方法は、記録媒体に記録されているコンテンツに対して、コンテンツに適合するメニュー画面を作成できるようにしたことにより、記録媒体に多くのコンテンツが存在しても、その管理がし易くなり、又、コンテンツに応じてメニューの見せ方を自由に選択することができ、さらに、所望のコンテンツを速やかに検索し、容易に再生することが可能となり、この機能を搭載した機器の付加価値を高めることができるという効果がある。
また、作成したメニュー画面をコンテンツ同様、他の再生機器で再生可能なフォーマットで記録媒体に記録することにより、その記録媒体を他の再生機器で使用する場合、再生機器に依存したメニュー画面で再生することなく、作成したメニュー画面を他の機器においても再生することができるという効果がある。
【００８４】
又、本発明に係る情報記録装置及び情報記録方法においては、メニュー画面を生成するプログラムを利用して、記録媒体に記録されているコンテンツ特有のメニュー画面を作成できるようにしたことにより、記録媒体に記録されているコンテンツの管理が容易にできるようになると共に、ユーザーが個人の好みやコンテンツに応じてメニューの見せ方を自由に選択することができ、この機能を搭載した機器の付加価値を高めることができるという効果がある。
【００８５】
更に、メニュー画面を生成するプログラムまたはメニュー画面を構成する背景画像等のシンボル画像をネットワークを介してダウンロードしたりメディアによって配布するようにしたことにより、市場に流通し、更にメニュー表示画面選択幅を広げることができるという効果もある。
【００８６】
また、ディスクにデータが記録された日付や時刻に応じてメニューページ毎に見せ方を変化させて時間や季節感等を表現することができるという効果もある。
【図面の簡単な説明】
【図１】本発明に係る第１実施形態の情報記録方法を具現化できる情報記録装置の構成を略示的に示したブロック図である。
【図２】同、記録媒体が単体の場合の情報記録装置を略示的に示したブロック図である。
【図３】同、記録媒体が複数存在する場合の情報記録装置を略示的に示したブロック図である。
【図４】本発明に係る第２実施形態の情報記録方法を具現化できる情報記録装置の構成を略示的に示したブロック図である。
【図５】本発明に係る第３実施形態の情報記録方法を具現化できる情報記録装置の構成を略示的に示したブロック図である。
【図６】同、ディスクのデータ構造を示した説明図である。
【図７】同、ＩＮＣ（Ｉｎｃｒｅｍｅｎｔａｌ  Ｒｅｃｏｒｄｉｎｇ）方式の手順を示した説明図である。
【図８】同、ＲＯＷ（Ｒｅｓｔｒｉｃｔｅｄ  Ｏｖｅｒｗｒｉｔｅ）方式の手順を示した説明図である。
【図９】同、ファイナライズ時のメニュー記録構造を示した説明図である。
【図１０】同、ファイナライズ後のメニュー画面の例を示した説明図である。
【図１１】同、メニュー画面を生成するプログラムの構造を示した説明図である。
【図１２】同、メニュー画面を生成するプログラムの構造を示した説明図である。
【図１３】同、メニュー画面を生成するプログラムの構造を示した説明図である。
【図１４】同、メニュー画面を生成するプログラムの構造を示した説明図である。
【図１５】同、メニュー画面を生成するプログラムの構造例を示した説明図である。
【図１６】同、メニューページ作成処理を示すフローチャートである。
【符号の説明】
１１；記録媒体、１１Ａ；記録媒体、１１Ｂ；記録媒体、１１Ｃ；記録媒体、１２；第一の領域、１３；代表データ生成手段、１４；第一のメモリ、１５；第二のメモリ、１６；リンク情報生成手段、１７；画像生成手段、１８；第二の領域、２１；ユーザーメニュー、２２；ユーザーメニュー、２３；ユーザーメニュー、２４；メニュー画面、２５；メニュー画面、２６；インターフェース、２７；ネットワーク、２８；外部機器、３１；ビデオカメラ、３２；撮像部、３３；マイク部、３４；ビデオエンコーダ、３５；オーディオエンコーダ、３６；システムブロック、３７；ビデオデコーダ、３８；ＬＣＤ、３９；ラインアウト、４０；オーディオデコーダ、４１；スピーカ／イヤホン／ラインアウト、４２；ドライブブロック、４３；ディスク、４４；ネットワークＩ／Ｆ、４５；ネットワーク。
【図１】
2004199774.tif 000003
【図２】
2004199774.tif 000004
【図３】
2004199774.tif 000005
【図４】
2004199774.tif 000006
【図５】
2004199774.tif 000007
【図６】
2004199774.tif 000008
【図７】
2004199774.tif 000009
【図８】
2004199774.tif 000010
【図９】
2004199774.tif 000011
【図１０】
2004199774.tif 000012
【図１１】
2004199774.tif 000013
【図１２】
2004199774.tif 000014
【図１３】
2004199774.tif 000015
【図１４】
2004199774.tif 000016
【図１５】
2004199774.tif 000017
【図１６】
2004199774.tif 000018